(57)【要約】【課題】画像に対して客観的な評価を行うことができる画像管理システムを提供する。【解決手段】本発明の一態様の画像管理システムは、写真シール作成装置および管理サーバを含む。写真シール作成装置は、撮影画像を生成する撮影制御部と、ユーザの指示に基づいて撮影画像に含まれる顔を補正することにより補正画像を生成する編集制御部とを備える。管理サーバは、補正画像の評価値として、撮影画像の顔と補正画像の顔との差分に応じた評価値を決定する画像管理部（４１４）を備える。【選択図】図１
2015184729.tif 000002
【特許請求の範囲】
【請求項１】
ネットワークを介して互いに接続される写真シール作成装置および管理サーバを含む画像管理システムであって、
上記写真シール作成装置において、ユーザを撮影することにより撮影画像を生成する撮影手段と、
上記ユーザの指示に基づいて上記撮影画像に含まれる顔を補正することにより補正画像を生成する画像補正手段と、
上記管理サーバにおいて、上記補正画像の評価値として、上記撮影画像の顔と上記補正画像の顔との差分に応じた評価値を決定する画像評価手段とを備えることを特徴とする画像管理システム。
【請求項２】
上記画像評価手段は、上記撮影画像における顔のパーツの特徴量と、上記補正画像における対応するパーツの特徴量との差分が小さいほど、上記評価値をより高い評価値とすることを特徴とする請求項１に記載の画像管理システム。
【請求項３】
上記画像補正手段は、上記撮影画像の顔のパーツに施した補正の大きさを示す補正量を上記画像評価手段に伝達し、
上記画像評価手段は、上記補正量から、上記評価値を決定することを特徴とする請求項１または２に記載の画像管理システム。
【請求項４】
上記画像評価手段は、さらに、所定の基準画像の顔と上記撮影画像の顔との差分が小さいほど、上記評価値をより高い評価値とすることを特徴とする請求項１から３のいずれか一項に記載の画像管理システム。
【請求項５】
上記画像評価手段は、さらに、所定の基準画像の顔と上記補正画像の顔との差分が小さいほど、上記評価値をより高い評価値とすることを特徴とする請求項１から３のいずれか一項に記載の画像管理システム。
【請求項６】
上記管理サーバにおいて、上記ユーザから投稿された上記補正画像を他の複数のユーザに公開する投稿公開手段を備え、
上記画像評価手段は、上記投稿された上記補正画像に対する上記評価値を決定するものであることを特徴とする請求項１から５のいずれか一項に記載の画像管理システム。
【請求項７】
上記管理サーバにおいて、複数の上記投稿された上記補正画像の中から、上記評価値が所定の条件を満たしている上記補正画像を抽出する画像抽出手段を備えることを特徴とする請求項６に記載の画像管理システム。
【請求項８】
上記ユーザに、上記評価値に応じた通知を行う評価通知手段を備えることを特徴とする請求項５に記載の画像管理システム。
【請求項９】
ネットワークを介して、写真シール作成装置に接続される管理サーバであって、
ユーザを撮影することにより生成された撮影画像を、上記写真シール作成装置から取得する撮影画像取得手段と、
上記ユーザの指示に基づいて上記撮影画像に含まれる顔を補正することにより生成される補正画像を取得する補正画像取得手段と、
上記補正画像に含まれる人物の評価値として、上記撮影画像の顔と上記補正画像の顔との差分に応じた評価値を決定する画像評価手段とを備えることを特徴とする管理サーバ。
【請求項１０】
ネットワークを介して、写真シール作成装置に接続される管理サーバであって、
ユーザを撮影することにより生成された撮影画像に含まれる顔を上記ユーザの指示に基づいて補正することにより生成される補正画像を、上記写真シール作成装置から取得する補正画像取得手段と、
上記撮影画像の顔のパーツに施した補正の大きさを示す補正量を示す情報を、上記写真シール作成装置から取得する補正量取得手段と、
上記補正画像に含まれる人物の評価値として、上記補正量に基づいて、上記撮影画像の顔と上記補正画像の顔との差分に応じた評価値を決定する画像評価手段とを備えることを特徴とする管理サーバ。
【請求項１１】
請求項９または１０に記載の管理サーバとしてコンピュータを機能させるための制御プログラムであって、コンピュータを上記各手段として機能させるための制御プログラム。
【請求項１２】
請求項１１に記載の制御プログラムを記録したコンピュータ読み取り可能な記録媒体。
【請求項１３】
ネットワークを介して互いに接続される写真シール作成装置および管理サーバにおける画像評価方法であって、
上記写真シール作成装置において、ユーザを撮影することにより撮影画像を生成する撮影ステップと、
上記ユーザの指示に基づいて上記撮影画像に含まれる顔を補正することにより補正画像を生成する画像補正ステップと、
上記管理サーバにおいて、上記補正画像の評価値として、上記撮影画像の顔と上記補正画像の顔との差分に応じた評価値を決定する画像評価ステップとを含むことを特徴とする画像評価方法。
【発明の詳細な説明】
【技術分野】
【０００１】
本発明は、ネットワークを介して接続される、写真シール作成装置および管理サーバを含む画像管理システムに関する。
【背景技術】
【０００２】
近年、写真シール作成装置において生成された画像をユーザに提供するサービスとして、画像の印刷されたプリントシールをユーザに提供するサービスと併せて、ユーザの所有する携帯端末に画像を表示させることによって画像をユーザに提供するサービスが広がってきている。これに合わせて、写真シール作成装置において生成された画像（写真シール画像）を提供するサイトで、他のユーザの画像を閲覧するユーザが増えている。閲覧した画像がかわいい画像で人気があるものであれば、そのような画像を他のユーザが閲覧することにより、新たに写真シール作成装置で撮影を行う意欲を他のユーザに生じさせることができる。ただし、そのような人気の出る画像を作成できるユーザは貴重であり、あまりいないのが実情である。
【０００３】
特許文献１には、撮影を行ったユーザから複数の撮影画像に対する評価を受け付け、評価順に撮影画像を編集画面に表示する写真自動販売機が記載されている。
【先行技術文献】
【特許文献】
【０００４】
【特許文献１】特開２００５−２２９３５５号公報（２００５年８月２５日公開）
【発明の概要】
【発明が解決しようとする課題】
【０００５】
従来の技術では、撮影を行ったユーザが自身の撮影画像に対する評価を行う。そのため、写真シール作成装置で生成された画像に対する、客観的な評価を行うことはできない。また、写真シール作成装置において顔が補正された画像に対する客観的な評価を行うことはできない。
【０００６】
また、他のユーザから人気の出る画像を作成できるユーザを発掘し、そのようなユーザの画像を閲覧できるシステムが求められている。
【０００７】
本発明は、上記の課題を解決するためになされたものであり、その主たる目的は、写真シール作成装置で生成された画像に対して客観的な評価を行うことができる管理サーバまたは画像管理システムを提供することにある。
【課題を解決するための手段】
【０００８】
本発明の一態様に係る画像管理システムは、ネットワークを介して互いに接続される写真シール作成装置および管理サーバを含む画像管理システムであって、上記写真シール作成装置において、ユーザを撮影することにより撮影画像を生成する撮影手段と、上記ユーザの指示に基づいて上記撮影画像に含まれる顔を補正することにより補正画像を生成する画像補正手段と、上記管理サーバにおいて、上記補正画像の評価値として、上記撮影画像の顔と上記補正画像の顔との差分に応じた評価値を決定する画像評価手段とを備えることを特徴とする。
【０００９】
上記の構成によれば、撮影画像の顔と補正画像の顔との差分に応じて、補正画像の評価値を決定することができる。補正画像の顔は、補正によって元の撮影画像の顔とは異なっている。そのため、補正画像を他人が見たとき、補正画像に対する他人による評価は、施されている補正に応じて異なるものになる。上記画像管理システムにおいては、他人による主観的な評価を是正するために、補正前後の差分に応じた評価値を用いることができる。これにより、補正画像に関する客観的な評価を行うことができる。
【００１０】
上記画像評価手段は、上記撮影画像における顔のパーツの特徴量と、上記補正画像における対応するパーツの特徴量との差分が小さいほど、上記評価値をより高い評価値とする構成であってもよい。
【００１１】
補正前後の顔のパーツの特徴量の差分が小さいということは、顔に施された補正が大きくないことを示す。逆に特徴量の差分が大きいということは、顔に施された補正が大きいことを示す。これにより、補正画像が、撮影画像との差が少ない画像であるか否かが分かる。撮影画像との差が少ない補正画像は、補正が必要ない画像であることが多く、他のユーザから好感を持って見られることが多い。上記の構成によれば、差分が小さい補正画像の評価値を高くすることで、他人による主観的な評価ではなく、客観的な評価値を得ることができる。
【００１２】
上記画像補正手段は、上記撮影画像の顔のパーツに施した補正の大きさを示す補正量を上記画像評価手段に伝達し、上記画像評価手段は、上記補正量から、上記評価値を決定する構成であってもよい。
【００１３】
上記の構成によれば、補正の際に補正量を特定し、その補正量を用いて評価値を決定することができる。そのため、評価値を決定するために、改めて撮影画像と補正画像とを比較する必要がない。
【００１４】
上記画像評価手段は、さらに、所定の基準画像の顔と上記撮影画像の顔との差分が小さいほど、上記評価値をより高い評価値とする構成であってもよい。
【００１５】
上記の構成によれば、補正前の撮影画像の顔と、基準画像の顔との比較に基づいて、上記評価値を変更する。撮影画像が基準画像に似ていれば、評価値がより高く変更される。例えば基準画像として一般的に美人とされる顔画像を用意しておけばよい。これにより、一般的に美人と評価される画像の評価が高くなる。
【００１６】
上記画像評価手段は、さらに、所定の基準画像の顔と上記補正画像の顔との差分が小さいほど、上記評価値をより高い評価値とする構成であってもよい。
【００１７】
上記の構成によれば、補正後の補正画像の顔と、基準画像の顔との比較に基づいて、上記評価値を変更する。補正画像が基準画像に似ていれば、評価値がより高く変更される。作成された補正画像において、一般的に美人と評価される画像の評価が高くなる。
【００１８】
上記画像管理システムは、上記管理サーバにおいて、上記ユーザから投稿された上記補正画像を他の複数のユーザに公開する投稿公開手段を備え、上記画像評価手段は、上記投稿された上記補正画像に対する上記評価値を決定する構成であってもよい。
【００１９】
投稿された補正画像に対する他のユーザによる評価は、補正の大きさに応じて異なるものになる。上記の構成によれば、例えば管理サーバの運営者は、撮影画像の顔と補正画像の顔との差分に応じて決定された評価値を参考にして、投稿された補正画像に対する他のユーザによる評価を是正することができる。
【００２０】
上記画像管理システムは、上記管理サーバにおいて、複数の上記投稿された上記補正画像の中から、上記評価値が所定の条件を満たしている上記補正画像を抽出する画像抽出手段を備える構成であってもよい。
【００２１】
上記の構成によれば、例えば、評価値がある閾値以上の補正画像を抽出することで、補正が大きくない補正画像を抽出することができる。そのため、他のユーザから適正な評価を受けていると考えられる補正画像を抽出することができる。
【００２２】
上記画像管理システムは、上記ユーザに、上記評価値に応じた通知を行う評価通知手段を備える構成であってもよい。
【００２３】
本発明の一態様に係る管理サーバは、ネットワークを介して、写真シール作成装置に接続される管理サーバであって、ユーザを撮影することにより生成された撮影画像を、上記写真シール作成装置から取得する撮影画像取得手段と、上記ユーザの指示に基づいて上記撮影画像に含まれる顔を補正することにより生成される補正画像を取得する補正画像取得手段と、上記補正画像に含まれる人物の評価値として、上記撮影画像の顔と上記補正画像の顔との差分に応じた評価値を決定する画像評価手段とを備えることを特徴とする。
【００２４】
本発明の一態様に係る管理サーバは、ネットワークを介して、写真シール作成装置に接続される管理サーバであって、ユーザを撮影することにより生成された撮影画像に含まれる顔を上記ユーザの指示に基づいて補正することにより生成される補正画像を、上記写真シール作成装置から取得する補正画像取得手段と、上記撮影画像の顔のパーツに施した補正の大きさを示す補正量を示す情報を、上記写真シール作成装置から取得する補正量取得手段と、上記補正画像に含まれる人物の評価値として、上記補正量に基づいて、上記撮影画像の顔と上記補正画像の顔との差分に応じた評価値を決定する画像評価手段とを備えることを特徴とする。
【００２５】
本発明の一態様に係る画像評価方法は、ネットワークを介して互いに接続される写真シール作成装置および管理サーバにおける画像評価方法であって、上記写真シール作成装置において、ユーザを撮影することにより撮影画像を生成する撮影ステップと、上記ユーザの指示に基づいて上記撮影画像に含まれる顔を補正することにより補正画像を生成する画像補正ステップと、上記管理サーバにおいて、上記補正画像の評価値として、上記撮影画像の顔と上記補正画像の顔との差分に応じた評価値を決定する画像評価ステップとを含むことを特徴とする。
【００２６】
本発明の各態様に係る管理サーバは、コンピュータによって実現してもよく、この場合には、コンピュータを上記管理サーバが備える各手段として動作させることによって上記管理サーバをコンピュータにて実現させる管理サーバの制御プログラム、およびそれを記録したコンピュータ読み取り可能な記録媒体も、本発明の範疇に入る。
【発明の効果】
【００２７】
本発明の一態様によれば、写真シール作成装置で生成された補正画像に関する客観的な評価を行うことができる。
【図面の簡単な説明】
【００２８】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態における、画像データベースに保存されるデータの一例を示す図である。
【図１９】本発明の第１実施形態における、人物情報入力の手順の一例を示す遷移図である。
【図２０】本発明の第１実施形態における、掲示板システムのウェブページの一例を示す図である。
【図２１】本発明の第１実施形態における、投稿するコメントを入力するウェブページの一例を示す図である。
【図２２】本発明の第１実施形態における、管理サーバにおいて評価値を決定する処理フローを示す図である。
【発明を実施するための形態】
【００２９】
〔実施形態１〕
本発明の第１実施形態について、図１〜図１７を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００３０】
（撮影画像管理システム１０）
図２は、本発明の第１実施形態に係る撮影画像管理システム１０の構成を示す図である。図２に示すように、撮影画像管理システム１０は、写真シール作成装置１、携帯端末６（ユーザ端末）、および管理サーバ４を備えている。
【００３１】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００３２】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００３３】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００３４】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。なお、写真撮影および画像編集に関するゲームは、複数のユーザが一緒に（共同で）プレイすることができる。複数のユーザは、それぞれのメールアドレスを入力することができる。
【００３５】
ゲームの終了後、ユーザは写真シールを手に入れる。一方、写真シール作成装置１は、生成した画像に、入力されたユーザのメールアドレスを関連付けて、管理サーバ４に送信する。複数のメールアドレスが入力された場合、写真シール作成装置１は、生成した画像に、入力された複数のユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００３６】
画像提供サイトへの画像保存後、ユーザは、携帯端末６または所望の他の装置を用いて画像提供サイトにログインして、画像をダウンロードすることができる。
【００３７】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００３８】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００３９】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４０】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４１】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４２】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００４３】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００４４】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００４５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４６】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００４７】
図３に示す編集部１２の構成を正面側の構成とすると、２組のユーザが同時に編集することができるように、編集部１２の正面側と背面側には編集制御に用いられる構成がそれぞれ設けられる。
【００４８】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００４９】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５０】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００５１】
（事後接客部１３）
図４は、写真シール作成装置の外観を他の角度からみた斜視図である。事後接客部１３は事後 接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００５２】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００５３】
（ユーザの移動）
写真シール作成ゲームの流れと、それに伴うユーザの移動について図５を参照して説明する。図５は、ユーザの移動について説明する図である。
【００５４】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００５５】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００５６】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５７】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００５８】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００５９】
画像の印刷が終了したとき、ユーザは、事後接客部１３に設けられた排出口からシール紙を受け取り、一連の写真シール作成ゲームを終えることになる。
【００６０】
（各部材の構成）
次に、写真シール作成装置１に備えられる各部材の構成について説明する。
【００６１】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６２】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００６３】
正面パネル４１のほぼ中央には撮影・表示ユニット８１が設けられる。撮影・表示ユニット８１は、カメラ９１、正面ストロボ９２、およびタッチパネルモニタ９３から構成される。
【００６４】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００６５】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００６６】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６７】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００６８】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００６９】
足元ストロボ８６の右側には、ユーザがお金を投入する硬貨投入返却口８７が設けられる。
【００７０】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００７１】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００７２】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００７３】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７４】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００７５】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００７６】
（事後接客部１３）
編集部１２の左側には事後接客部１３が設けられる。図９は、写真シール作成装置１に備えられる事後接客部１３の構成例を示す図である。
【００７７】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００７８】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００７９】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８０】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００８１】
スピーカ１６５は、事後接客時の案内音声、ＢＧＭ、効果音等の音を出力する。
【００８２】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００８３】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００８４】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００８５】
通信部２０３はインターネットなどのネットワークのインタフェースであり、制御部２０１による制御に従って外部の装置と通信を行う。
【００８６】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００８７】
ＲＯＭ２０６には、制御部２０１において実行されるプログラムおよびデータが記憶されている。ＲＡＭ２０７は、制御部２０１が処理するデータおよびプログラムを一時的に記憶する。
【００８８】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００８９】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９０】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００９１】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００９２】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００９３】
カメラ９１は、制御部２０１による制御に従って撮影を行い、撮影によって得られた画像（画像）を制御部２０１に出力する。
【００９４】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００９５】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００９６】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００９７】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００９８】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００９９】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【０１００】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１０１】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【０１０２】
通信制御部３１１は、通信部２０３による外部の装置との通信を制御する。
【０１０３】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。撮影制御部３１２（撮影手段）は、撮影によって人物の撮影画像を生成する。
【０１０４】
編集制御部３１３（画像補正手段）は、編集部１２Ａおよび編集部１２Ｂによる、撮影画像に対する落書き編集等、写真シール作成ゲームにおけるユーザの編集制御に関する処理を制御する。編集制御部３１３は、撮影によって得られる撮影画像から、ユーザの指示（編集作業）に基づいて撮影画像に含まれる顔が補正された補正画像を生成する。編集制御部３１３は、撮影された画像（撮影画像）に含まれる人物の顔の特徴量を特定し、特徴量を変更することにより、撮影画像に含まれる顔のパーツに補正を施す。顔のパーツとは、例えば、目、口、鼻、および顔の輪郭である。顔の特徴量とは、例えば、顔のパーツの位置、および顔のパーツの大きさのうちの少なくとも１つを表す。パーツの位置とは、パーツの中心または重心の位置および角度を指し、パーツの大きさは、パーツの面積等を指す。編集制御部３１３は、例えば、撮影画像における目の大きさ等を、ユーザが指定する補正量にしたがって補正する。編集制御部３１３は、顔の各パーツに施した補正の大きさを示す補正量を特定しておく。なお、補正画像には、ユーザによってタブレット内蔵モニタ１３１から入力された手書き文字等を示す画像（前景画像）、およびユーザによって選択された背景画像が合成されている。
【０１０５】
印刷制御部３１４は、印刷部２１１によるシール紙の印刷等、写真シール作成ゲームにおけるユーザの印刷制御に関する処理を制御する。
【０１０６】
事後接客制御部３１５は、事後接客部１３による、編集作業を終了したユーザグループを接客する処理等、写真シール作成ゲームにおける事後接客に関する処理を制御する。事後接客制御部３１５は、顔画像抽出部３１５ａ（顔画像抽出手段）、顔画像提示部３１５ｂ（顔画像提示手段）、および人物情報入力部３１５ｃ（人物情報入力手段）を備える。
【０１０７】
顔画像抽出部３１５ａは、補正画像または撮影画像に含まれる人物の顔画像を抽出する。画像に複数の人物の顔が含まれている場合、顔画像抽出部３１５ａは、それぞれの顔画像を抽出する。
【０１０８】
顔画像提示部３１５ｂは、顔画像をユーザに提示するために、抽出された顔画像をタブレット内蔵モニタ１６１に表示させる。
【０１０９】
人物情報入力部３１５ｃは、タブレット内蔵モニタ１６１を介して、ユーザから表示された顔画像の人物に関する人物情報の入力を受け付ける。
【０１１０】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１１１】
（制御部４０１の詳細）
図１に示すように、制御部４０１は、通信制御部４１１（補正画像取得手段、補正量取得手段）、メール作成部４１２、ウェブページ作成部４１３（投稿公開手段）、画像管理部４１４（画像評価手段）、投稿処理部４１５（投稿公開手段）、および評価部４１６（画像抽出手段）を備えている。
【０１１２】
（通信制御部４１１）
通信制御部４１１は、通信部４０３による通信を制御する。
【０１１３】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１１４】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１１５】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１１６】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。画像管理部４１４は、画像、画像の補正量、画像に含まれる人物に関する人物情報を管理する。画像管理部４１４は、ユーザ毎に、該ユーザの画像（補正画像）、補正の大きさを示す補正量、および人物情報を関連付けて画像データベース４２４に記憶させる。
【０１１７】
また、画像管理部４１４は、掲示板システムに投稿された画像の評価値を決定する。
【０１１８】
（投稿処理部４１５）
投稿処理部４１５は、ユーザから、画像データベース４２４に保存された画像を含む記事の投稿を受け付ける。投稿処理部４１５は、投稿された記事のデータを掲示板データベース４２５に記憶させる。
【０１１９】
（評価部４１６）
評価部４１６は、投稿された画像の評価値に基づいて、所定の基準（条件）を満たす画像を抽出する。
【０１２０】
（記憶部４０２の詳細）
図１に示すように、記憶部４０２は、メールデータベース４２１、会員データベース４２２、ウェブページデータベース４２３、および画像データベース４２４を有している。
【０１２１】
（メールデータベース４２１）
メールデータベース４２１は、ユーザに送信するメールを作成するための各種データを格納している。
【０１２２】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員および無料会員などを挙げることができる。
【０１２３】
（ウェブページデータベース４２３）
ウェブページデータベース４２３は、携帯端末６に表示される画像提供サイトのウェブページを作成するための各種データを格納している。
【０１２４】
（画像データベース４２４）
画像データベース４２４は、写真シール作成装置１によって作成されたユーザの画像（補正画像）のうち、画像提供サイトに保存するようにユーザによって指示された画像を格納している。画像データベース４２４には、画像が、会員データベース４２２に会員として登録されているユーザ毎に区別されて格納されている。また、画像データベース４２４には、画像（補正画像）と、補正量と、該補正量に対応する人物の人物情報とが関連付けられて格納されている。
【０１２５】
図示はしないが、記憶部４０２は、写真シール作成装置１から受信した画像などのデータを一時的に保存する一時保存データベースも有している。
【０１２６】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１２７】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１２８】
（制御部６０１の詳細）
図１２に示すように、制御部６０１は、通信制御部６１１、入力制御部６１２、および表示制御部６１３を備えている。
【０１２９】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１３０】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１３１】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１３２】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１３３】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１３４】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１３５】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１３６】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１３７】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１３８】
（サービスの流れ）
次に、撮影画像管理システム１０によって提供されるサービスの流れの詳細について、図１４、図１５を参照して以下に説明する。図１４は、撮影画像管理システム１０における写真撮影から画像保存までの一連の処理の流れの一例を示すシーケンス図である。
【０１３９】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１４０】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。撮影制御部３１２は、人物が撮影された撮影画像を生成する。この撮影制御は撮影処理時間内に複数回行われる。
【０１４１】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１４２】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１４３】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に撮影画像を編集させる（ステップＳ３）。具体的には、編集制御部３１３は、編集対象画像として選択または取得された撮影画像に合成するための合成用画像をユーザに選択させ、選択された合成用画像を撮影画像に合成させ、得られた画像を、ユーザによる編集操作に従って編集する。
【０１４４】
編集制御部３１３は、撮影画像に含まれる人物の顔の特徴量を特定する。ここで、撮影画像における顔の特徴量は、顔が補正される前の画像における顔の特徴量である。
【０１４５】
編集制御部３１３は、編集部１２を介して、ユーザから顔の補正に関する補正指示を受け付ける。ユーザは、例えば、肌の色および目の大きさの補正量を指定する補正指示を編集部１２に入力する。なお、編集制御部３１３は、ユーザから手書き文字（落書き）を合成する等の編集指示も、受け付ける。
【０１４６】
編集制御部３１３は、ユーザの補正指示に基づいて、撮影画像に含まれる顔を補正する。顔の補正において、編集制御部３１３は、特定された顔の特徴量に基づいて、顔の位置および顔のパーツ（目、鼻、口等）の位置等を認識し、各パーツの特徴量を指定された補正量に応じて変更する。これにより、各パーツの大きさ、形状、および色等が補正（変更）される。こうして、編集制御部３１３は、撮影画像に含まれる人物の顔が補正された補正画像を生成する。なお、補正画像には、合成用画像および手書き文字（落書き）等も合成される。各パーツの補正量は、撮影画像の顔のパーツの特徴量と補正画像の顔のパーツの特徴量との差分を表すとも言える。なお、写真シール作成装置１の操作情報から、目および顔等の補正量を特定することができる。例えば、写真シール作成装置１の機種およびバージョンと、顔の各部の補正機能の段階別補正ボタンのＯＮ／ＯＦＦ情報、およびデフォルトの補正量等とに基づき、補正量を特定することができる。
【０１４７】
また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１４８】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１４９】
（写真シール印刷）
案内の終了後、印刷制御部３１４は、ユーザによって選択された編集済みの画像（補正画像）をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１５０】
（事後接客）
印刷中、事後接客制御部３１５は、事後接客部１３を制御し、印刷終了待機中のユーザに対する事後接客に関する処理をを制御する（ステップＳ５）。具体的には、事後接客制御部３１５は、事後接客部１３による事後接客に関する処理として、写真シール作成ゲームにおいて画像（編集済みの画像を含む）およびユーザのメールアドレス等の情報をを管理サーバ４に送信するための処理を制御する。
【０１５１】
具体的には、事後接客制御部３１５は、送信する画像の選択画面をタブレット内蔵モニタ１６１に表示させる。ユーザは、タッチペン１６２Ａまたはタッチペン１６２Ｂを用いてタブレット内蔵モニタ１６１に指示を入力することにより、管理サーバ４に送信したい画像を選択する。
【０１５２】
図１９は、人物情報入力の手順の一例を示す遷移図である。ここでは、図１９（ａ）に示す補正画像Ｐ１が送信のために選択されたとして説明を行う。図１９においては、分かりやすさのために画像の人物中に人物を示すアルファベットを示す。
【０１５３】
顔画像抽出部３１５ａは、送信のために選択された画像（補正画像）Ｐ１から、該画像に含まれる顔画像を抽出する。画像に複数の人物の顔が含まれている場合、顔画像抽出部３１５ａは、複数の顔画像ＰＡ・ＰＢを抽出する（図１９（ｂ））。顔画像ＰＡは人物Ａの顔を含む画像であり、顔画像ＰＢは人物Ｂの顔を含む画像である。なお、顔画像抽出部３１５ａは、補正画像に対応する撮影画像から顔画像を抽出してもよい。
【０１５４】
顔画像提示部３１５ｂは、顔画像をユーザに提示するために、抽出された１つ以上の顔画像をタブレット内蔵モニタ１６１に表示させる。また、顔画像提示部３１５ｂは、顔画像の人物に対応する人物情報をユーザに入力させる画面１０６１・１０６４を、タブレット内蔵モニタ１６１に表示させる。ここでは、人物情報として、人物のニックネームおよび人物のメールアドレスの入力を受け付ける。メールアドレスは、例えば写真シール作成装置１で生成された画像を画像提供サイトにおいてユーザに提供するために使用される。
【０１５５】
人物情報入力部３１５ｃは、タブレット内蔵モニタ１６１を介して、ユーザから表示された顔画像の人物に関する人物情報の入力を受け付ける。写真シール作成装置１においては、複数のユーザが一緒に撮影を行う場合が多い。例えば画像に複数のユーザＡ・Ｂが含まれる場合、ユーザＡ・Ｂは、それぞれのニックネームおよびメールアドレスを入力する。なお、複数の人物のうち、いくつかの人物の人物情報の入力は省略することもできる。
【０１５６】
図１９（ｃ）に示すように、ニックネーム入力画面１０６１には、抽出された顔画像ＰＡ・ＰＢが表示される。また、ニックネーム入力画面１０６１には、それぞれの顔画像に対応して、ニックネーム入力領域１０６２およびソフトウェアキーボード１０６３が表示される。ユーザはソフトウェアキーボード１０６３を用いてニックネームを入力する。入力された文字は、ニックネーム入力領域１０６２に表示される。ニックネームの入力が完了すると、タブレット内蔵モニタ１６１の表示は、メールアドレス入力画面１０６４に切り替わる。
【０１５７】
図１９（ｄ）に示すように、メールアドレス入力画面１０６４には、抽出された顔画像ＰＡ・ＰＢ、メールアドレス入力領域１０６５、およびソフトウェアキーボード１０６３が表示される。ユーザはソフトウェアキーボード１０６３を用いてメールアドレスを入力する。入力された文字は、メールアドレス入力領域１０６５に表示される。
【０１５８】
（画像送信）
通信制御部３１１は、補正画像と、該補正画像の補正の大きさを示す補正量と、入力された人物情報（ニックネームおよびメールアドレス）とを関連付けて、通信部２０３を通じて管理サーバ４に送信する（ステップＳ６）。１つの補正画像に複数の人物が含まれる場合、１つの補正画像に対して、複数の人物の顔の補正量と、複数の人物の人物情報とが関連付けられる。また、各人物の補正量と、各人物の人物情報とは、互いに関連付けられている。送信される画像は、選択された補正画像もしくは制御部２０１が送信対象と決定した補正画像である。また、このとき送信される画像には、当該画像を一義的に特定するための識別子（画像ＩＤ）が関連付けられている。写真シール作成装置１から送信された画像、顔の補正量、人物情報（ニックネームおよびメールアドレス）、および画像ＩＤを、管理サーバ４の通信部４０３が受信し（ステップＳ７）、通信制御部４１１に出力する。通信制御部４１１は、受信した画像、顔の補正量、人物情報などのデータを、記憶部４０２の図示しない一時保存データベースに保存する。保存された画像などのデータは、規定の期限が経過するまで一時保存データベースに格納され続け、期限が経過すると自動的に一時保存データベースから削除される。
【０１５９】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１６０】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１６１】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１６２】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１６３】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１６４】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１６５】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１６６】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１６７】
図１５（ｃ）に示すように、ウェブページ１１０７は、一つのサムネイル画像１１０４、および、全ての画像を保存するためのリンク画像１１０８を含んでいる。
【０１６８】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１６９】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１７０】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１７１】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する。その際、画像が一枚なら、その画像を保存する。一方、画像が複数枚なら、そのうちのいずれか一つ（たとえばサムネイル画像１１０４に対応する画像）を保存する。
【０１７２】
また、画像管理部４１４は、保存される画像に関連付けられている顔の補正量および人物情報を、該画像に関連付けて画像データベース４２４に保存する（ステップＳ１７）。１つの画像に複数の人物が含まれる場合、１つの画像に対して複数の補正量および人物情報が関連付けられる。また、複数の人物のうちのある人物の顔の補正量と、該人物の人物情報とは、互いに関連付けられて画像データベース４２４に保存される。なお、画像は、画像の登録者であるユーザの会員ＩＤに関連付けられて画像データベース４２４に保存される。画像の登録者は、該画像を画像データベース４２４に保存したユーザである。
【０１７３】
図１８は、画像データベース４２４に保存されるデータの一例を示す図である。なお、図１８においては、分かりやすさのために画像の人物中に人物を示すアルファベットを示す。画像データベース４２４は、会員ＩＤ毎に分類して、画像（補正画像）、画像ＩＤ、顔の補正量、ニックネーム、メールアドレス、および人物属性を保存する。図１８では、例えばユーザＡの５つの画像Ｐ１〜Ｐ５に関連付けられた情報が示されている。画像ＩＤは、写真シール作成装置１において生成され、画像を一義的に特定するための情報である。画像ＩＤは、画像が撮影された日時、画像を撮影した写真シール作成装置１を示す情報、および任意の文字列を含んでもよい。画像を撮影した写真シール作成装置１を示す情報によって、撮影された場所を特定することもできる。
【０１７４】
顔の補正量、ニックネーム、メールアドレス、および人物属性は、画像に含まれる人物毎に、画像に関連付けられている。図１８では説明を簡単にするために、顔の補正量は１つの数字（代表値）で示されている。実際には顔の補正量は、目の大きさの補正量、目の形状の補正量、まつげの量の補正量、口の大きさの補正量等、複数のパーツに対する補正量を含む。複数のパーツに対する補正量を総合したものが、図１８に示される補正量の代表値である。補正量の代表値は、例えば、複数の補正量の合計または平均、各補正量に所定の係数をかけた合計、または、複数の補正量の最大値であってもよい。ニックネームおよびメールアドレスは、ユーザによって入力された、画像に含まれる人物のニックネームおよびメールアドレスである。画像Ｐ２、Ｐ４、Ｐ５のように、ニックネームおよび／またはメールアドレスは、入力が省略されることもある。人物属性は、画像に含まれる人物の、画像の登録者であるユーザＡからみた人間関係を示す。人物属性は、ユーザＡ自身は「本人」、ユーザＡ以外の人物は「友達」と設定される。なお、人物属性の判定方法は後述する。
【０１７５】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１７６】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１７７】
（人物属性の判定）
画像管理部４１４は、画像Ｐ１（図１８参照）を保存するとき、ユーザＡの画像Ｐ１に関連付けられた各メールアドレスが、会員データベース４２２（ユーザ情報管理手段）に登録されている該ユーザＡのメールアドレス（ユーザ情報）に一致するか否かを判定する。画像Ｐ１に関連付けられたメールアドレス（xxx@xxx.xx）が、該ユーザＡのメールアドレスに一致する場合、画像管理部４１４は、該メールアドレス（xxx@xxx.xx）に対応する人物は、ユーザＡ本人であると特定する。一方、画像Ｐ１に関連付けられたメールアドレス（yy@xxx.xx）が、該ユーザＡのメールアドレスに一致しない場合、画像管理部４１４は、該メールアドレス（yy@xxx.xx）に対応する人物は、ユーザＡの友達である（すなわちユーザＡ自身ではない）と特定する。なお、メールアドレスが入力されていない場合、画像管理部４１４は、その人物は、ユーザＡの友達であると特定する。画像管理部４１４は、特定した人物属性を、各補正量に関連付けて画像データベース４２４に保存する（ステップＳ１８）。
【０１７８】
なお、画像管理部４１４は、ユーザＡ本人ではない人物（例えば人物Ｂ）について、会員データベース４２２を参照して、該人物のメールアドレスから該人物の会員ＩＤを特定してもよい。画像管理部４１４は、特定した会員ＩＤを、該人物の補正量およびニックネーム等と関連付けて画像データベース４２４に記憶させてもよい。
【０１７９】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１８０】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１８１】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１８２】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２および掲示板システムを表示するためのリンク画像１０３３を含んでいる。通信制御部４１１は、通信部４０３を通じて会員トップページ１０３１を携帯端末６に送信する（ステップＳ２３）。
【０１８３】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１８４】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１８５】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１８６】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１８７】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１８８】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１８９】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０１９０】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０１９１】
携帯端末６の通信制御部６１１は、通信部６０３を通じて、送信された画像を受信し、記憶部６０２に保存する（ステップＳ３２）。以上により、携帯端末６への画像保存処理が完了する。
【０１９２】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０１９３】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０１９４】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０１９５】
（掲示板システム）
管理サーバ４は、画像提供サイトにおいて、掲示板システムをユーザに提供する。ユーザは、図１７（ｂ）に示す会員トップページ１０３１においてリンク画像１０３３を選択することで、掲示板システムのウェブページ（掲示板ページ）を携帯端末６に表示させることができる。
【０１９６】
図２０は、掲示板システムのウェブページの一例を示す図である。本実施形態の掲示板システムでは、ユーザが管理サーバ４に保存した画像およびコメントの投稿を受け付ける。掲示板ページ１０７１は、複数の投稿された記事１０７２を含む。ここでは、それぞれの記事１０７２に便宜上番号を振っている。１つの記事１０７２は、投稿された画像１０７３、投稿者のニックネーム１０７４、および投稿されたコメント１０７５を含む。また、１つの記事１０７２に対して、評価ボタン１０７６および返信ボタン１０７７が設けられている。また、掲示板ページ１０７１は、新規投稿ボタン１０７８を含む。
【０１９７】
ユーザは、携帯端末６を操作して新規投稿ボタン１０７８を押すことにより、新しい記事を掲示板システムに投稿することができる。投稿された記事は、掲示板ページ１０７１において、会員である他のユーザにも公開される。ユーザは、自身が写真シール作成装置１で得た画像を掲示板システムに投稿することで、画像に関する話題を他のユーザと共有することができる。話題は特に限定されないが、例えば様々な機種の写真シール作成装置の感想（アンケート）を投稿することができる。管理サーバ４の運営者は、投稿された感想（アンケート）を写真シール作成装置１の開発および画像提供サイトの開発に活かすことができる。
【０１９８】
他のユーザは、評価ボタン１０７６を押すことにより、対象の記事１０７２への評価をつけることができる。評価された数（評価ボタン１０７６を押された回数）が記事１０７２に表示されていてもよい。記事につけられた評価は、ユーザが記事を投稿することの動機づけとなる。また、他のユーザは、返信ボタン１０７７を押すことにより、対象の記事１０７２に対する返信コメントを投稿することができる。ここでは省略するが、返信コメントは、例えばツリー形式、スレッド形式等、任意の表示形式で表示してよい。
【０１９９】
本実施形態では、有料会員は、一般会員と候補会員に分けられる。候補会員は、特別会員の候補である。特別会員は、写真シール作成装置を使用するユーザを代表するモデルに位置づけられる。特別会員には、画像提供サイト等において、専用のサービスを受けることができる。候補会員および特別会員は、後述の方法によって設定される。なお、ユーザがいずれの会員種類であるかは、会員データベース４２２に記憶されている。候補会員および特別会員は、それぞれ候補会員専用および特別会員専用の掲示板ページに記事を新規投稿することができる。専用の掲示板ページの構成は、図２０に示す掲示板ページ１０７１と同様であるので、説明を省略する。なお、他の会員（有料会員および無料会員）も、新規投稿はできないが、専用の掲示板ページを閲覧し、「評価」および「返信」を行うことができる。
【０２００】
（投稿処理）
ユーザが掲示板ページ１０７１において新規投稿ボタン１０７８を押す（選択する）と、携帯端末６は、新規投稿ボタン１０７８に対応するリクエストを管理サーバ４に送信する。
【０２０１】
管理サーバ４の通信制御部４１１は、受け取ったリクエストをウェブページ作成部４１３に出力する。ウェブページ作成部４１３は、リクエストに応じて、投稿する画像を選択するウェブページを作成する。該ウェブページは、図１７（ｃ）に示すような、管理サーバ４に保存された該ユーザの画像の一覧を含む。ウェブページ作成部４１３は、作成したウェブページを通信制御部４１１に出力する。通信制御部４１１は、入力されたウェブページを携帯端末６に送信する。
【０２０２】
携帯端末６は、受け取ったウェブページを表示部６０５に表示する。ユーザは、ウェブページに含まれる複数の画像から、投稿する画像を選択する。携帯端末６は、選択された画像を指定するリクエストを管理サーバ４に送信する。
【０２０３】
管理サーバ４の通信制御部４１１は、受け取ったリクエストをウェブページ作成部４１３に出力する。ウェブページ作成部４１３は、リクエストに応じて、投稿するコメントを入力するウェブページを作成する。
【０２０４】
図２１は、投稿するコメントを入力するウェブページ１０８１の一例を示す図である。投稿する画像として、画像Ｐ３が選択されたとする。ウェブページ１０８１は、投稿する画像Ｐ３、ニックネーム入力領域１０８２、コメント入力領域１０８３、および投稿ボタン１０８４を含む。なお、ウェブページ作成部４１３は、ニックネーム入力領域に、画像データベース４２４に保存された画像に関連付けられたニックネーム「Ａちゃん」（図１８参照）を、既定値としてあらかじめ設定してもよい。ウェブページ作成部４１３は、作成したウェブページを通信制御部４１１に出力する。通信制御部４１１は、入力されたウェブページを携帯端末６に送信する。
【０２０５】
携帯端末６は、受け取ったウェブページを表示部６０５に表示する。ユーザは、ウェブページ１０８１のニックネーム入力領域１０８２、およびコメント入力領域１０８３に、ニックネームとコメントとをそれぞれ入力する。その後、ユーザは、投稿ボタン１０８４を押すことで、記事の投稿を行う。携帯端末６は、選択された画像を示す情報、入力されたニックネーム、および入力されたコメントを含むリクエストを、管理サーバ４に送信する。
【０２０６】
管理サーバ４の通信制御部４１１は、受け取ったリクエストを投稿処理部４１５に出力する。投稿処理部４１５は、リクエストに含まれる、選択された画像を示す情報、入力されたニックネーム、および入力されたコメントを、投稿したユーザの会員ＩＤと関連付けて、投稿された記事のデータとして掲示板データベース４２５に記憶させる。投稿処理部４１５は、ウェブページ作成部４１３に掲示板ページ１０７１を作成するよう指示する。
【０２０７】
ウェブページ作成部４１３は、掲示板データベース４２５から投稿された記事のデータを取得し、掲示板ページ１０７１を作成する。作成された掲示板ページ１０７１には、先程投稿された記事も含まれる。ウェブページ作成部４１３は、作成した掲示板ページ１０７１を通信制御部４１１に出力する。通信制御部４１１は、入力された掲示板ページ１０７１を携帯端末６に送信する。
【０２０８】
携帯端末６は、受け取ったウェブページを表示部６０５に表示する。これにより、ユーザは、投稿を行い、投稿された記事を確認することができる。なお、記事に対して返信を行う場合も、管理サーバ４は同様の処理を行うので、説明を省略する。なお、記事に対する返信を行う場合、返信を行うユーザの画像を返信に含めても含めなくてもよい。
【０２０９】
（ユーザによる評価）
ユーザが掲示板ページ１０７１において評価ボタン１０７６を押す（選択する）と、携帯端末６は、評価ボタン１０７６に対応するリクエストを管理サーバ４に送信する。
【０２１０】
管理サーバ４の通信制御部４１１は、受け取ったリクエストを投稿処理部４１５に出力する。投稿処理部４１５は、評価された対象の記事について、評価ユーザ数に１を足して、評価ユーザ数および評価したユーザの会員ＩＤを、評価された対象の記事に関連付けて掲示板データベース４２５に記憶させる。なお、投稿処理部４１５は、同じ記事に対して、同じユーザからの複数回の評価は受け付けない。投稿処理部４１５は、ウェブページ作成部４１３に掲示板ページ１０７１を作成するよう指示する。ウェブページ作成部４１３は、上記と同様に、掲示板ページ１０７１を作成する。
【０２１１】
本実施形態では、投稿された記事には、写真シール作成装置１で生成された画像が含まれている。ユーザが記事を評価をする基準は様々だが、記事の画像は大きな要素になると考えられる。例えば、かわいく写った人物の画像は、評価を集めやすい。そのため、ユーザは、よりよく写った画像を得るために、写真シール作成装置１を利用することが考えられる。
【０２１２】
なお、例えば定期的に、いずれの記事および投稿された画像がよかったかについて、ユーザから投票を受け付けてもよい。このとき、ユーザ１人の投票数に上限を設けてもよい。管理サーバ４は、ユーザからの投票を、「評価」と同様の方法で受け付けることができる。記事に対して投票された数を評価ユーザ数と見なすことができる。
【０２１３】
（候補会員への昇格）
管理サーバ４は、例えば定期的に、一般会員の中から記事に対して高い評価を受けたユーザを抽出し、抽出したユーザの会員種類を候補会員に変更する。
【０２１４】
具体的には、評価部４１６は、掲示板データベース４２５を参照し、所定期間に投稿された記事のそれぞれの評価ユーザ数を取得する。記事の評価ユーザ数は、該記事を評価したユーザの数である。評価部４１６は、一般会員のユーザ毎に、該ユーザが投稿した複数の記事に対する評価ユーザ数の合計を求める。評価部４１６は、評価ユーザ数の合計が第１閾値以上であるユーザを抽出する。評価部４１６は、抽出したユーザの会員属性（会員種類）を候補会員に変更し、会員データベース４２２の情報を更新する。また、評価部４１６は、メール作成部４１２にユーザへの通知を行うよう指示する。
【０２１５】
メール作成部４１２は、ユーザが候補会員に昇格したことを通知するメールを作成し、通信制御部４１１に出力する。通信制御部４１１は、入力されたメールをユーザの携帯端末６に送信する。
【０２１６】
このように、評価部４１６は、一般会員であるユーザが投稿した記事の評価ユーザ数が所定の基準を満たした場合に、該ユーザを候補会員に昇格する。なお、評価部４１６は、評価ユーザ数の合計ではなく、評価ユーザ数が第２閾値以上である記事の数が第３閾値以上である場合に、ユーザを候補会員に昇格させてもよい。または、評価部４１６は、記事の評価ユーザ数の平均に基づいて、昇格の是非を判断してもよい。評価部４１６は、これらの条件を複合的に用いて、昇格の是非を判断してもよい。また、評価部４１６は、所定数の（撮影画像と補正画像との）特徴量の差分が一定の閾値以下のユーザを候補会員に昇格させてもよい。さらに、特徴量の作り方に応じて、閾値を変更してもよい。
【０２１７】
なお、評価部４１６は、抽出したユーザを管理サーバ４の運営者に提示してもよい。抽出されたユーザの中から候補会員に昇格するユーザを、運営者が最終的に決定し、評価部４１６に指示してもよい。
【０２１８】
（特別会員への昇格）
管理サーバ４は、例えば定期的に、所定期間に投稿された候補会員の記事の画像に対する評価値を決定する。管理サーバ４は、画像に対する評価値と記事の評価ユーザ数とに基づいて、評価の高いユーザを抽出する。運営者は、抽出されたユーザの、画像に対する評価値と評価ユーザ数とを考慮し、特別会員に昇格するユーザを決定することができる。
（画像に関する評価値）
具体的には、画像管理部４１４は、掲示板データベース４２５を参照して、投稿されている記事に含まれる画像を特定し、画像データベース４２４（図１８参照）から該画像および顔の補正量を取得する。
【０２１９】
上述したように、投稿される記事が写真シール作成装置１で得られた画像に関するものであるため、かわいく写った人物の画像は、ユーザからの評価を集めやすい。一方で、掲示板システムに投稿される画像（記事に含まれる画像）は、写真シール作成装置１において補正され、管理サーバ４に保存された補正画像である。そのため、補正画像は、元々の撮影画像からユーザがよりかわいく（綺麗に）見えるように補正されている。そして、写真シール作成装置１において施される補正の強弱（補正量の大小）は、一定ではない。掲示板システムにおけるユーザからの評価は、こうした補正量の大きさは考慮されずに行われる。そのため、モデルである特別会員にふさわしいユーザを決定するために、運営者としては、補正画像の補正量が小さく、かつ高い評価を受けたユーザを抽出したい。例えば、ユーザの記事に含まれる補正画像の顔と元の撮影画像の顔との差分が小さい場合、他のユーザから集めた評価数の価値はより高く、ユーザはモデルである特別会員にふさわしいと考えられる。
【０２２０】
図２２は、管理サーバにおいて評価値を決定する処理フローを示す図である。補正量の大きさを考慮するために、本実施形態では、画像管理部４１４は、投稿された画像（補正画像）に対する評価値として、補正量が小さいほどより高い評価値を決定する（ステップＳ４１）。例えば、図１８に示す画像Ｐ３では補正量が３０であり、画像Ｐ５では補正量が１０である。画像管理部４１４は、例えば画像Ｐ３に対する評価値を７０とし、画像Ｐ５に対する評価値をより高い９０とする。画像（補正画像）の評価値は、撮影画像の顔と補正画像の顔との差分に応じた値であり、撮影画像の顔と補正画像の顔との差分が小さいほど、より高い値となる。
【０２２１】
なお、図１８に示される補正量の代表値は、複数のパーツに対する補正量を総合したものである。画像管理部４１４は、補正量の代表値の逆数、または、補正量の代表値を所定値から減算した値を、評価値としてもよい。また、画像管理部４１４は、補正量の代表値と評価値との関係をあらかじめ規定するテーブルから、評価値を決定してもよい。なお、画像に複数の人物が含まれる場合、画像管理部４１４は、投稿したユーザ本人（人物属性が「本人」）の補正量に基づいて評価値を決定する。
【０２２２】
さらに、画像管理部４１４は、基準画像の顔と補正画像の顔との差分に基づいて、上記評価値を変更（増減）してもよい。基準画像とは、美しさ等の基準となる顔を含む顔画像である。基準画像は、例えば複数の人物の顔画像を合成して、平均的な顔を生成することによって得られる。一般的に、平均顔は、人に好印象を与えると言われる。または、基準画像として、左右の対称性のよい顔画像を用いてもよい。一般的に理想的な顔の配置として、黄金比による配置（黄金比マスク）がある。これより基準画像を作成してもよい。さらに、理想的な顔画像の各パーツ毎の大きさおよび位置が決まっていることがある。さらに、流行やトレンドにより、基準となる基準画像を設定し直しても（変更しても）よい。さらに、所定のモデル、芸能人、または女優等の画像を基準画像として使用してもよい。画像管理部４１４は、基準画像の顔と補正画像の顔とを比較し、その差分を特定する。画像管理部４１４は、該差分が小さいほど、上記評価値を、より高く変更する（ステップＳ４２）。これにより、客観的に補正画像の顔を評価する評価値を求めることができる。
【０２２３】
画像管理部４１４は、決定した評価値を、その画像（その画像を含む記事）に関連付けて、掲示板データベース４２５に記憶させる。
【０２２４】
評価部４１６は、掲示板データベース４２５を参照し、評価値が所定の基準（条件）を満たしている画像（画像を含む記事）およびユーザを抽出する（ステップＳ４３）。例えば、評価部４１６は、評価値が第４閾値以上である画像を抽出する。さらに評価部４１６は、抽出された複数の画像を投稿した複数のユーザのうち、評価ユーザ数の合計が第１閾値以上であり、かつ、所定期間に画像データベース４２４に保存された画像数が第５閾値以上であるユーザ（写真シール作成装置１の利用回数が多いユーザ）を抽出する。
【０２２５】
評価部４１６は、抽出されたユーザを昇格対象者として、運営者に提示する。提示する方法は任意であるが、例えば運営者専用のウェブページにおいて、昇格対象者のユーザのリストを表示させてもよい。また、評価部４１６は、抽出されたユーザを昇格対象者とする情報を、各ユーザＩＤに関連付けて会員データベース４２２に記憶させてもよい。運営者は、ユーザが投稿した記事の評価値、評価ユーザ数、記事に含まれる画像、およびコメント等を考慮して、最終的に特別会員に昇格するユーザを決定することができる。評価部４１６は、運営者の指示に応じて、ユーザの会員属性を特別会員に変更し、会員データベース４２２の情報を更新する。また、評価部４１６は、メール作成部４１２にユーザへの通知を行うよう指示する。ユーザへの通知は候補会員の場合と同様である。なお、評価部４１６は、評価部４１６が抽出したユーザを、自動的に特別会員に変更してもよい。
【０２２６】
本実施形態では、補正画像の顔と撮影画像の顔との差分に応じた評価値を求め、評価値に基づいて画像およびユーザを抽出する。そのため、写真シール作成装置１における補正量を考慮して、適切に（公平に）投稿された記事（画像）の評価を行うことができる。
【０２２７】
基準画像の顔と補正画像の顔との差分に基づいて算出された評価値は、補正画像の評価を表している。管理サーバ４（ウェブページ作成部４１３（評価通知手段））は、ユーザの補正画像の評価値が所定値より低い場合、モデルの撮影画像と、該撮影画像に対し編集処理を行った編集画像とをサンプル（見本）として、画像提供サイトにおいて該ユーザに提示（通知）してもよい。
【０２２８】
なお、写真シール作成装置１で同様の評価値の算出を行い、上記サンプルを写真シール作成装置１に表示してもよい。さらに、ユーザの撮影画像に対しサンプルと同じ編集処理を行った編集画像を写真シール作成装置１に表示してもよい。この場合、上記編集処理で、どの程度までモデルに近づけるか（美人になれるか）を提示することができる。また、ユーザは、モデルに近づく（美人になる）ための化粧の参考にすることができる。
【０２２９】
一方、上記評価値が所定値より高い場合、上記ユーザを上記モデルとして勧誘する画面（通知）を画像提供サイトまたは写真シール作成装置１においてユーザに提示してもよい。
【０２３０】
〔実施形態２〕
本発明の他の実施形態について説明する。なお、説明の便宜上、実施形態１にて説明した図面と同じ機能を有する部材・構成については、同じ符号を付記し、その詳細な説明を省略する。本実施形態では、写真シール作成装置から管理サーバへ、補正画像と共に撮影画像も送信される。
【０２３１】
ユーザが写真シール作成装置１においてゲームをプレイし、事後接客が終了すると、写真シール作成装置１の通信制御部３１１は、補正画像と、補正前の撮影画像と、入力された人物情報と、画像ＩＤとを関連付けて、通信部２０３を通じて管理サーバ４に送信する。
【０２３２】
写真シール作成装置１から送信された補正画像、撮影画像、人物情報、および画像ＩＤを、管理サーバ４の通信部４０３が受信し、通信制御部４１１に出力する。通信制御部４１１（補正画像取得手段、撮影画像取得手段）は、受信した補正画像、撮影画像、人物情報等のデータを、記憶部４０２の図示しない一時保存データベースに保存する。
【０２３３】
その後、実施形態１と同様に、ユーザの指示（要求）に応じて、互いに関連付けられた補正画像、撮影画像、人物情報等のデータを、ユーザ毎に画像データベース４２４に記憶させる。
【０２３４】
画像提供サイトにおいてユーザに提供される（携帯端末６に送信される）画像、および掲示板システムに投稿される画像は、ユーザが編集を行った補正画像である。ただし、補正画像に対応する、顔の補正を行う前の撮影画像も、管理サーバ４に保存される。これにより、管理サーバ４において、撮影画像を用いて対応する補正画像の評価値を決定することができる。
【０２３５】
（画像に関する評価値）
具体的には、画像管理部４１４は、掲示板データベース４２５を参照して、投稿されている記事に含まれる画像を特定し、画像データベース４２４から該画像（補正画像）および該画像に対応する撮影画像を取得する。
【０２３６】
画像管理部４１４は、補正画像の顔と撮影画像の顔とを比較し、補正画像の顔と撮影画像の顔との差分を特定する。本実施形態では、画像管理部４１４は、投稿された画像（補正画像）に対する評価値として、上記差分が小さいほど、より高い評価値を決定する。
【０２３７】
さらに、画像管理部４１４は、基準画像の顔と補正前の撮影画像の顔との差分に基づいて、上記評価値を変更（増減）してもよい。画像管理部４１４は、基準画像の顔と撮影画像の顔とを比較し、その差分を特定する。画像管理部４１４は、該差分が小さいほど、上記評価値を、より高く変更する。これにより、補正が施されていない顔を評価値に反映することができる。
【０２３８】
画像管理部４１４は、決定した評価値を、その画像（その画像を含む記事）に関連付けて、掲示板データベース４２５に記憶させる。
【０２３９】
（管理サーバでの画像補正）
なお、写真シール作成装置１で行われる補正と同様の画像補正の機能が、管理サーバ４（画像提供サイト上）において提供されてもよい。例えば、写真シール作成装置１と同様に、管理サーバ４の画像管理部４１４（画像補正手段）は、ユーザの携帯端末６を介して補正指示を受け付け、撮影画像に含まれる顔を補正する。これにより、画像管理部４１４は、補正画像を生成し、画像データベース４２４に記憶させる。なお、このとき、画像管理部４１４は、補正量を特定し、補正画像に関連付けて画像データベース４２４に記憶させてもよい。管理サーバ４で生成された補正画像は、写真シール作成装置１から受け取った補正画像と同様に、携帯端末６に送信されてもよいし、掲示板システムへの投稿に用いられてもよい。
【０２４０】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０２４１】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２４２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２４３】
本発明は、写真シール作成装置において作成されたユーザの画像を管理サーバに保存する画像管理システムとして、幅広く利用することができる。
【符号の説明】
【０２４４】
１  写真シール作成装置
４  管理サーバ
６  携帯端末（ユーザ端末）
１０  画像管理システム
１１  撮影ユニット
１２  編集部
１３  事後接客部
２１  撮影部
２０１  制御部
３１１  通信制御部
３１２  撮影制御部（撮影手段）
３１３  編集制御部（画像補正手段）
３１４  印刷制御部
３１５  事後接客制御部
３１５ａ  顔画像抽出部
３１５ｂ  顔画像提示部
３１５ｃ  人物情報入力部
４０１  制御部
４０２  記憶部
４０３  通信部
４１１  通信制御部（撮影画像取得手段、補正画像取得手段、補正量取得手段）
４１２  メール作成部
４１３  ウェブページ作成部（投稿公開手段、評価通知手段）
４１４  画像管理部（画像評価手段）
４１５  投稿処理部（投稿公開手段）
４１６  評価部（画像抽出手段）
６０１  制御部
６０２  記憶部
６０３  通信部
６０４  入力部
６０５  表示部
６１１  通信制御部
６１２  入力制御部
６１３  表示制御部
【図１】
2015184729.tif 000003
【図２】
2015184729.tif 000004
【図３】
2015184729.tif 000005
【図４】
2015184729.tif 000006
【図５】
2015184729.tif 000007
【図６】
2015184729.tif 000008
【図７】
2015184729.tif 000009
【図８】
2015184729.tif 000010
【図９】
2015184729.tif 000011
【図１０】
2015184729.tif 000012
【図１１】
2015184729.tif 000013
【図１２】
2015184729.tif 000014
【図１３】
2015184729.tif 000015
【図１４】
2015184729.tif 000016
【図１５】
2015184729.tif 000017
【図１６】
2015184729.tif 000018
【図１７】
2015184729.tif 000019
【図１８】
2015184729.tif 000020
【図１９】
2015184729.tif 000021
【図２０】
2015184729.tif 000022
【図２１】
2015184729.tif 000023
【図２２】
2015184729.tif 000024